(57)【要約】【課題】切替用の色変換テーブルデータをダウンロードする際の作業コストを削減することができると共に、変更後の確認を容易に行うことができる画像形成システムを提供する。【解決手段】既存の色変換テーブルデータを格納する色変換テーブルデータ格納部１８２と、ダウンロードデータを取得するインターフェース部１１と、取得したダウンロードデータを格納するダウンロード色変換テーブル格納領域１９１と、既存の色変換テーブルデータ及び切替用の色変換テーブルデータに基づいて画像形成処理を実行する画像処理部１４と、画像形成処理部１４で画像形成処理するための色変換テーブルデータを既存の色変換テーブルデータから切替用の色変換テーブルデータに切り替える制御回路２０とを備えている。【選択図】      図３
2008305119.tif 000002
【特許請求の範囲】
【請求項１】
既存の色変換テーブルデータをダウンロードデータに含まれる切替用の色変換テーブルデータに切り替える画像形成システムであって、
前記既存の色変換テーブルデータを格納する色変換テーブルデータ格納手段と、
前記ダウンロードデータを取得するダウンロードデータ取得手段と、
該ダウンロードデータ取得手段で取得したダウンロードデータを格納するダウンロードデータ格納手段と、
前記色変換テーブルデータ格納手段に格納された前記既存の色変換テーブルデータ及び前記ダウンロードデータ格納手段に格納された前記切替用の色変換テーブルデータを出力する画像処理手段と、
を備えていることを特徴とする画像形成システム。
【請求項２】
前記ダウンロードデータには、前記画像処理手段による出力に関する個別設定用のクレームデータが含まれていることを特徴とする請求項１に記載の画像形成システム。
【請求項３】
前記画像処理手段で画像形成処理された画像を読み取る画像読取手段と、
送信先アドレスを格納した送信先アドレス格納手段と、
前記画像読取手段で読み取った画像データを前記送信先アドレスを利用して送信する送信手段と、
を備えていることを特徴とする請求項１又は請求項２に記載の画像形成システム。
【請求項４】
既存の色変換テーブルデータをダウンロードデータに含まれる切替用の色変換テーブルデータに切り替える画像形成システムであって、
前記既存の色変換テーブルデータを格納する色変換テーブルデータ格納ステップと、
前記ダウンロードデータを取得するダウンロードデータ取得ステップと、
取得した前記ダウンロードデータを格納するダウンロードデータ格納ステップと、
前記既存の色変換テーブルデータ及び前記切替用の色変換テーブルデータを出力する画像形成処理ステップと、
をコンピュータに実行させるための画像形成プログラム。
【発明の詳細な説明】
【技術分野】
【０００１】
本発明は、プリンタ・複写機・ファクシミリ、或いはこれらを機能的に備えた複合機等の画像形成システム、特に、カラー印刷が可能な画像形成システム及び画像形成プログラムに関する。
【背景技術】
【０００２】
従来から、プリンタ・複写機・ファクシミリ、或いはこれらを機能的に備えた複合機等のカラーの画像形成システムにあっては、画像形成処理後の画像に対するデフォルトカラーに満足しないユーザに対して、所望の色合いを再現するため、ＩＣＣプロファイル（例えば、ＲＧＢプロファイルやＣＭＹＫプロファイル）等の色変換テーブルデータを画像形成装置本体内のＨＤＤ等に格納されたものと切り替える切替機能を備えたものが知られている（例えば、特許文献１参照）。
【０００３】
切替用の色変換テーブルデータは、例えば、色変換テーブルデータの開発者等がパーソナルコンピュータを利用して画像形成装置本体内のＨＤＤに格納された色変換テーブルデータと同一の色変換テーブルデータに構成要素を付加することで作成される。
【０００４】
また、作成後の切替用の色変換テーブルデータは、ダウンロードデータとして取得することによって、例えば、画像形成装置と電気通信回線等を介して接続されたパーソナルコンピュータ（プリントサーバ等）を利用して画像形成装置本体内のＨＤＤ等に格納（上書き等）することができる。
【０００５】
尚、ダウンロードデータの取得には、例えば、上述したパーソナルコンピュータを利用してインターネット接続により取得する方法の他、各種メモリカード・メモリスティック等の記憶メディアにダウンロードデータを格納し、この記憶メディアをパーソナルコンピュータや画像形成装置本体に挿入して取得することができる。
【０００６】
この際、ダウンロードデータをダウンロードする際には、ダウンロード対象の色変換テーブルに関する属性情報を見て不正データを検出するといった検出手段を備えたダウンロード機能も知られている（例えば、特許文献２参照）。
【特許文献１】特開２００３−２４４４３３号公報
【特許文献２】特開２００３−２９６０７９号公報
【発明の開示】
【発明が解決しようとする課題】
【０００７】
ところが、上記の如く構成された画像形成システムにあっては、ユーザが所望する色合いが出ていないときには、サービスマン等がＩＣＣプロファイル等の切替用の色変換テーブルデータをダウンロードして取得するが、属性情報のみの不正検出では、ダウンロードした切替用の色変換テーブルデータの内容をチェックすることができない。
【０００８】
従って、サービスマン等は、ダウンロード対象となる切替用の色変換テーブルデータに対応するテスト画像（カラーサンプル）を予め用意しておかなければならず、余分な手間がかかってしまうという問題があった。
【０００９】
そこで、本発明は、上記事情を考慮し、切替用の色変換テーブルデータをダウンロードする際の作業コストを削減することができると共に、変更後の確認を容易に行うことができる画像形成システムを提供することを目的とする。
【課題を解決するための手段】
【００１０】
本発明の画像形成システムは、既存の色変換テーブルデータをダウンロードデータに含まれる切替用の色変換テーブルデータに切り替える画像形成システムであって、前記既存の色変換テーブルデータを格納する色変換テーブルデータ格納手段と、前記ダウンロードデータを取得するダウンロードデータ取得手段と、該ダウンロードデータ取得手段で取得したダウンロードデータを格納するダウンロードデータ格納手段と、前記色変換テーブルデータ格納手段に格納された前記既存の色変換テーブルデータ及び前記ダウンロードデータ格納手段に格納された前記切替用の色変換テーブルデータを出力する画像処理手段と、を備えていることを特徴とする。
【００１１】
この際、前記ダウンロードデータには、前記画像処理手段による出力に関する個別設定用のクレームデータが含まれていることを特徴とする。
【００１２】
また、前記画像処理手段で画像形成処理された画像を読み取る画像読取手段と、送信先アドレスを格納した送信先アドレス格納手段と、前記画像読取手段で読み取った画像データを前記送信先アドレスを利用して送信する送信手段と、備えていることを特徴とする。
【００１３】
さらに、本発明の画像形成プログラムは、既存の色変換テーブルデータをダウンロードデータに含まれる切替用の色変換テーブルデータに切り替える画像形成システムであって、前記既存の色変換テーブルデータを格納する色変換テーブルデータ格納ステップと、前記ダウンロードデータを取得するダウンロードデータ取得ステップと、取得した前記ダウンロードデータを格納するダウンロードデータ格納ステップと、前記既存の色変換テーブルデータ及び前記切替用の色変換テーブルデータを出力する画像形成処理ステップと、をコンピュータに実行させる。
【発明の効果】
【００１４】
本発明の画像形成システムは、切替用の色変換テーブルデータをダウンロードする際の作業コストを削減することができると共に、変更後の確認を容易に行うことができる。
【発明を実施するための最良の形態】
【００１５】
次に、本発明の一実施形態に係る画像形成システムについて、図面を参照して説明する。
【００１６】
図１は本発明の一実施形態に係る画像形成システムの説明図、図２は本発明の一実施形態に係る画像形成システムに用いられるダウンロードデータの要部のデータフォーマットの説明図、図３は本発明の一実施形態に係る画像形成システムに用いられる画像形成装置（複合機）の要部のブロック図、図４は本発明の一実施形態に係る画像形成システムに用いられる他の画像形成装置（プリンタ専用機）の要部のブロック図、図５は本発明の一実施形態に係る画像形成システムにおけるルーチンのフロー図、図６はサンプルデータを出力した場合の出力例の説明図、図７はサンプルデータ・クレームデータに基づく修正前後のそれぞれの出力例の説明図である。
【００１７】
図１に示すように、本発明の一実施形態に係る画像形成システムは、複合機等の画像形成装置１にネットワーク回線２を介して複数のパーソナルコンピュータ３が接続されていると共に、このパーソナルコンピュータ３から出力された印刷データを処理するためのプリントサーバ４がネットワーク回線２を介して接続されている。また、プリントサーバ４は、インターネットサーバを兼用しており、ルータ５を介してインターネット回線６とも接続されている。
【００１８】
プリントサーバ４は、本実施の形態では、例えば、プリントサーバ４・パーソナルコンピュータ３・画像形成装置１の何れかを用いたサービスマン等の操作により、インターネット回線６を介してダウンロードデータＤを取得する。また、プリントサーバ４（又はパーソナルコンピュータ３）は、画像形成装置１に格納された複数のサンプルデータＳの中から、取得したダウンロードデータＤの画像形成処理（出力）に関する内容と一致したサンプルデータＳＤを画像形成装置１に外部操作出力させることも可能である。
【００１９】
尚、ダウンロードデータＤは、例えば、図２に示すように、データフォーマットとしては、実際に画像形成装置１を利用するユーザが所望する色合いを再現するために設定される色変換テーブルデータ７と、ユーザが所望する色合いを確認するために用意された客先データ８とをサポートしている。
【００２０】
色変換テーブルデータ７は、ダウンロードデータＤをダウンロードするに際して必須のデータあり、ＲＧＢやＣＭＹＫのカラースペース設定７１、テーブル格子数７２、文字用テーブルや写真画像用テーブルなど印刷対象のオブジェクト７３、色変換テーブルデータ本体７４で構成される。
【００２１】
また、客先データ８は、より迅速にユーザへの対応を可能とするための付加情報であり、必ずしも必要なものではないが、本実施の形態では、客先名８１、送信先アドレス８２、クレームデータ８３で構成されている。尚、クレームデータ８３は、画像形成処理時の色合いに関する個別設定（要望）に関するデータで、このクレームデータ８３を利用した画像形成処理（出力）も可能となっている。
【００２２】
画像形成装置１は、図３に示すように、ネットワーク回線２との接続（又は記憶メディアとの接続）のためのインターフェース部１１と、画像形成装置１の上部に配置された自動原稿送り装置（ＡＤＦ）１２と、複写機能やファクシミリ機能として利用する際にＡＤＦ１２にセットされた原稿を読み取るスキャナ部１３と、パーソナルコンピュータ３から出力された印刷データやスキャナ部１３で読み取った画像データに基づいて画像形成処理を実行する画像処理部１４と、印刷データや画像データに基づいて画像形成処理する際にこれらのデータを一時的に格納するＨＤＤ１５と、複写機能やファクシミリ機能等として利用する際に各種設定を行うためのパネルスイッチ方式の表示部１６と、表示部１６と兼用して各種操作を行う複数のボタンスイッチ等を配置した操作部１７と、画像形成装置１の制御プログラム全般を格納したＲＯＭ１８と、画像形成処理時の各種設定（拡大・縮小率等）を一時的に格納するＲＡＭ１９と、これら各種を制御する制御回路２０とを備えている。
【００２３】
尚、制御回路（ＣＰＵ）２０は、ＲＯＭ１８に格納された各種制御プログラムに基づいて画像形成処理全般に係わる制御を行う。また、ＲＯＭ１８には、本実施の形態の画像形成システムの制御に係わる制御プログラムも格納されており、この制御プログラムを実行する制御回路２０とでマイクロコンピュータを構成している。また、画像形成処理を実行する際の画像データ等はＨＤＤ１５に格納されるが、ＲＡＭ１９に格納しても良い。さらに、ＲＡＭ１９（又はＨＤＤ１５）は、本発明の画像形成システムの制御に係わる制御プログラムの一部をＲＯＭ１８に格納された制御プログラムと置き換えて制御回路２０で実行する。このため、本実施の形態の画像形成システムは、ＲＡＭ１９（又はＨＤＤ１５）を含めてマイクロコンピュータを構成している。
【００２４】
表示部１６は、画像形成装置１の操作のための各種設定情報等を表示すると共に、その表示をパネルスイッチとして利用することができる。また、表示部１６は、本実施の形態では、ダウンロードデータＤのダウンロードを開始する開始ボタン１６１、ダウンロードデータをリセットするリセットボタン１６２を表示する。
【００２５】
ＲＯＭ１８は、色変換処理を行う色変換部１８１、既存の色変換テーブルデータを格納した色変換テーブルデータ格納部１８２、複数のサンプルデータＳを格納したサンプルデータ格納部１８３、どのサンプルデータＳを出力するかを選択判別するサンプル選択部１８４を備えている。
【００２６】
ＲＡＭ１９は、ダウンロードした色変換テーブルデータ７を格納するダウンロード色変換テーブルデータ格納領域１９１、客先データ８としての客先名８１と送信先アドレス８２とを関連付けした状態で格納する客先データ格納領域１９２、クレームデータ８３を格納するクレームデータ格納領域１９３、実際に画像形成処理を行うために色変換されたデータを格納する色変換データ格納領域１９４を備えている。尚、これら各領域１９１〜１９４に格納されたデータは、画像形成装置１の電源ＯＦＦ等によって消去される。従って、画像形成装置１がファクシミリ機能を備えた複合機の場合にはメイン電源をＯＦＦすることがないため、ＲＡＭ１９に格納しても良いが、例えば、スキャナ部１３を備えていないプリンタ専用機（図４参照）等のメイン電源をＯＦＦすることが想定される画像形成装置の場合には、ＲＡＭ１９に変えてＨＤＤ１５に各領域１９１〜１９４を確保しても良いし、ＨＤＤ１５にバックアップしたデータをメイン電源をＯＮする度にＲＡＭ１９に展開するように構成することも可能である。また、クレームデータ格納領域１９３には、ダウンロードデータＤに含まれるクレームデータ８３とは別に、製造元への個別設定（要望）時に作成した既存のクレームデータが格納されている。
【００２７】
次に、図５のフロー図を参照しつつ、制御回路２０による本実施の形態に係わる制御例を説明する。
【００２８】
（ステップＳ１）
ステップＳ１では、制御回路２０は、表示部１６に表示されたダウンロード実行モードボタン（図示せず）によるモード設定によりモード開始すると共に、そのモード選択に伴って表示されたダウンロード実行ボタン１６１の押下によってダウンロードデータＤの待機状態としてステップＳ２へと移行する。
【００２９】
（ステップＳ２）
ステップＳ２では、制御回路２０は、インターフェース部１１を通じてダウンロードデータＤを取得してステップＳ３へと移行する。尚、ダウンロードデータＤは、サービスマン等の操作により、例えば、インターネット回線６を介してプリントサーバ４で取得したダウンロードデータＤをネットワーク回線２及びインターフェース部１１を通じてネットワークで取得しても良いし、インターフェース部１１に差し込まれた各種メモリカード・メモリスティック等の記憶メディアに格納されたダウンロードデータを取得しても良い。また、制御回路２０は、取得したダウンロードデータＤをＲＡＭ１９のダウンロード色変換テーブル格納領域１９１に格納する。この際、制御回路２０は、ダウンロードデータＤをＲＯＭ１８の色変換部１８１で使用する色変換テーブルデータとしては設定しない。
【００３０】
（ステップＳ３）
ステップＳ３では、制御回路２０は、取得したダウンロードデータＤに客先データ８が含まれているか否かを確認し、客先データ８が含まれている場合にはステップＳ４へと移行し、客先データ８が含まれていない場合にはステップＳ５へとスキップする。
【００３１】
（ステップＳ４）
ステップＳ４では、制御回路２０は、取得したダウンロードデータＤに含まれている客先データ８から、客先名８１と送信先アドレス８２とを客先データ格納領域１９２に格納してステップＳ５へと移行する。
【００３２】
（ステップＳ５）
ステップＳ５では、制御回路２０は、サンプル選択部１８４を制御して、取得したダウンロードデータＤに含まれている色変換テーブルデータ７の色変換テーブルデータ本体７４と一致するサンプルデータＳをサンプルデータ格納部１８３に格納した複数のサンプルデータＳから選択させてステップＳ６へと移行する。
【００３３】
（ステップＳ６）
ステップＳ６では、制御回路２０は、選択したサンプルデータＳを色変換部１８１で色変換させた後、その変換させたサンプルデータＳを色変換データ格納領域１９４に保存すると共に画像処理部１４へと送信して修正前（既存）の色変換テーブルデータによるサンプルデータＳＤの出力（画像形成処理）を行ってステップＳ７へと移行する。
【００３４】
図６は、このようなサンプルデータＳＤの一例を示す。ダウンロードされる色変換テーブルデータは、ＲＧＢ／ＣＭＹＫ等のカラースペース７１に加えて、文字や写真といったオブジェクトのそれぞれの項目に設定することができる。従って、上述したＩＣＣプロファイルのＲＧＢ→ＣＭＹＫ置き換えにより、入力側としてＲＧＢイメージ（格子）、ＲＧＢイメージ（文字）、出力側としてＣＭＹＫイメージ（格子）、ＣＭＹＫ（文字）を備え、実際に設定されたカラースペース／オブジェクトのサンプルをＲＧＢイメージ（格子）、ＲＧＢイメージ（文字）、ＣＭＹＫイメージ（格子）、ＣＭＹＫ（文字）の中から選択することができる。尚、ここでのサンプルデータＳは後に色の測定ができるようなカラーパッチデータであるのが好ましい。
【００３５】
（ステップＳ７）
ステップＳ７では、制御回路２０は、取得したダウンロードデータＤに含まれている客先データ８から、クレームデータ８３が含まれているか否かを確認し、クレームデータ８３が含まれている場合にはステップＳ８へと移行し、クレームデータ８３が含まれていない場合にはステップＳ９へとスキップする。
【００３６】
（ステップＳ８）
ステップＳ８では、制御回路２０は、取得したダウンロードデータＤに含まれていたクレームデータ８３をクレームデータ格納領域１９３に格納すると共に、修正前（既存）の色変換テーブルデータに基づいてクレームデータ８３を色変換した状態で画像処理部１４へと送信・サンプル出力を行ってステップＳ９へと移行する。
【００３７】
（ステップＳ９）
ステップＳ９では、制御回路２０は、修正前（既存）のサンプルデータの出力終了後、ダウンロードした色変換テーブルデータを色変換部１８１で使用する色変換テーブルデータとして切り替え設定してステップＳ１０へと移行する。
【００３８】
（ステップＳ１０）
ステップＳ１０では、制御回路２０は、色変換テーブルデータが修正されたので、修正後（切替）の色変換テーブルデータ基づいて色変換した状態で画像処理部１４へと送信・サンプル出力を行ってステップＳ１１へと移行する。
【００３９】
（ステップＳ１１）
ステップＳ１１では、制御回路２０は、取得したダウンロードデータＤに含まれている客先データ８から、クレームデータ８３が含まれているか否かを再度確認し、クレームデータ８３が含まれている場合にはステップＳ１２へと移行し、クレームデータ８３が含まれていない場合にはステップＳ１３へとスキップする。
【００４０】
（ステップＳ１２）
ステップＳ１２では、制御回路２０は、取得したダウンロードデータＤに含まれていたクレームデータ８３を修正後（切替）の色変換テーブルデータに基づいて色変換した状態で画像処理部１４へと送信・サンプル出力を行ってステップＳ１３へと移行する。
【００４１】
尚、画像形成装置１が図４に示したスキャナ部１３を備えていないプリンタ専用機の場合、このステップＳ１２でルーチンは終了する。
【００４２】
（ステップＳ１３）
ステップＳ１３では、制御回路２０は、修正前後の出力画像をみて色合いが破壊されているとサービスマンが判断した場合、表示部１６のリセットボタン１６２を押下されるため、そのリセットボタン１６２が押下されたか否かを判断し、リセットボタン１６２が押下された場合にはステップＳ１４へと移行し、リセットボタン１６２が所定時間押下されなかった場合にはステップＳ１５へとスキップする。
【００４３】
尚、上述した色の破壊とは、色変換テーブルデータ本体７４が何らかの原因によってクラッシュしたデータで設定されたときに出力される色を想定している。
【００４４】
（ステップＳ１４）
ステップＳ１４では、制御回路２０は、リセットが正常に行われたかを確認するため、クレームデータ８３をリセット後の色変換テーブルデータに基づいて色変換した状態で画像処理部１４へと送信・サンプル出力を行ってステップＳ１５へと移行する。
【００４５】
（ステップＳ１５）
ステップＳ１５では、制御回路２０は、ネットワークスキャナ（スキャナ部１３）を用いてお客様に迅速に対応完了を伝える処理を開始するため、客先名８１と送信先アドレス８２とが客先データ格納領域１９２に格納されているか否かを確認（サービスマンによる手動確認でも良い）し、客先名８１と送信先アドレス８２とが客先データ格納領域１９２に格納されている場合にはステップＳ１６へと移行し、客先名８１と送信先アドレス８２とが客先データ格納領域１９２に格納されていない場合にはこのルーチンを終了する。
【００４６】
（ステップＳ１６）
ステップＳ１６では、制御回路２０は、送信先アドレス８２により送信準備を開始してステップＳ１７へと移行する。
【００４７】
（ステップＳ１７）
ステップＳ１７では、制御回路２０は、上述したステップＳ６，ステップＳ８，ステップＳ１０，ステップＳ１２で出力（画像形成処理）されたイメージを、例えば、この順にスキャナ部１３で読み取るように表示部１６に表示を行い、サービスマンの操作によってスキャンしたスキャンデータ（画像データ）を送信先に送信してこのルーチンを終了する。
【００４８】
尚、この送信には、例えば、送信先アドレスが電子メールアドレスであった場合には、スキャンしたデータを添付ファイルとしてインターネット回線６を利用してメール送信することができる。また、送信先アドレスがＦＡＸ番号であった場合、スキャンした画像データをそのままファクシミリ送信する。尚、これらスキャンデータは、各ステップＳ６，ステップＳ８，ステップＳ１０，ステップＳ１２で出力した際に画像処理部１４に出力した画像データを添付・送信しても良い。
【００４９】
図７は、ステップＳ６，ステップＳ８，ステップＳ１０，ステップＳ１２で出力（画像形成処理）されたイメージ（サンプルデータＳＤ）の一例を示し、図７（Ａ）はステップＳ６で出力したサンプルデータＳに基づく修正前（既存）のイメージ（格子）、図７（Ｂ）はステップＳ８で出力したクレームデータ８３に基づく修正前（既存）のイメージ（図柄）、図７（Ｃ）はステップＳ１０で出力したサンプルデータＳに基づく修正後（切替）のイメージ（格子）、図７（Ｄ）はステップＳ１２で出力したクレームデータ８３に基づく修正後（切替）のイメージ（図柄）である。
【００５０】
これにより、サービスマンは、修正前（既存）と修正後（切替）のサンプルイメージの出力に基づいて容易に設定完了を確認することができるばかりでなく、すでに別の機種等で出力したサンプルイメージと見比べることもできる。
【００５１】
このように、本発明の画像形成システムによれば、お客様の所望する色を出すための色変換テーブルデータをダウンロード実行する際に、ＲＧＢ／ＣＭＹＫなどのカラースペース、イメージ／文字などのオブジェクトに対して、ダウンロード対象のカラーサンプルを選択し、修正前（既存）と修正後（切替）のサンプルを自動出力することで、ダウンロード作業を行うサービスマンの確認の容易性と作業効率を向上させることができる。
【図面の簡単な説明】
【００５２】
【図１】本発明の一実施形態に係る画像形成システムの説明図である。
【図２】本発明の一実施形態に係る画像形成システムに用いられるダウンロードデータの要部のデータフォーマットの説明図である。
【図３】本発明の一実施形態に係る画像形成システムに用いられる画像形成装置（複合機）の要部のブロック図である。
【図４】本発明の一実施形態に係る画像形成システムに用いられる他の画像形成装置（プリンタ専用機）の要部のブロック図である。
【図５】本発明の一実施形態に係る画像形成システムにおけるルーチンのフロー図である。
【図６】本発明の一実施形態に係る画像形成システムにおけるサンプルデータの出力例の説明図である。
【図７】本発明の一実施形態に係る画像形成システムにおけるサンプルデータ出力イメージの一例を示し、（Ａ）はステップＳ６で出力したサンプルデータＳに基づく修正前のイメージ（格子）、（Ｂ）はステップＳ８で出力したクレームデータ８３に基づく修正前のイメージ（図柄）、（Ｃ）はステップＳ１０で出力したサンプルデータＳに基づく修正後のイメージ（格子）、（Ｄ）はステップＳ１２で出力したクレームデータ８３に基づく修正後のイメージ（図柄）である。
【符号の説明】
【００５３】
１１…インターフェース部（ダウンロードデータ取得手段）
１４…画像処理部（画像処理手段）
２０…制御回路（切替手段）
１８２…色変換テーブル格納部（色変換テーブルデータ格納手段）
１９１…ダウンロード色変換テーブル格納領域（ダウンロードデータ格納手段）
【図１】
2008305119.tif 000003
【図２】
2008305119.tif 000004
【図３】
2008305119.tif 000005
【図４】
2008305119.tif 000006
【図５】
2008305119.tif 000007
【図６】
2008305119.tif 000008
【図７】
2008305119.tif 000009